(57)【要約】【課題】ブロードキャストで配信される情報をユーザが任意に選択できる。【解決手段】携帯端末が、登録管理サーバにアクセスし、登録管理サーバが、携帯端末に配信情報のメニュー画面を送信する。携帯端末は、登録管理サーバから配信情報のメニュー画面を受信し、受信したメニュー画面から、配信を希望する情報を選択して、その選択した情報を登録管理サーバに送信する。登録管理サーバは、選択した情報を受信し、その受信した情報を登録管理する。【選択図】図６
2009246662.tif 000002
【特許請求の範囲】
【請求項１】
ブロードキャスト受信機能を有する携帯端末と、該携帯端末に配信する情報を登録し、管理する登録管理サーバとを備え、
前記携帯端末が、
前記登録管理サーバにアクセスするアクセス手段と、
前記登録管理サーバから配信情報のメニュー画面を受信するメニュー画面受信手段と、
該受信したメニュー画面から、配信を希望する情報を選択する選択手段と、
該選択した情報を前記登録管理サーバに送信する選択情報送信手段と、
を備え、
前記登録管理サーバが、
前記携帯端末に配信情報のメニュー画面を送信するメニュー画面送信手段と、
前記選択した情報を受信する選択情報受信手段と、
該受信した情報を登録管理する登録管理手段と、
を備えたことを特徴とする受信情報選択システム。
【請求項２】
前記登録管理サーバが、事前に登録したユーザプロファイルと該ユーザプロファイルに対応したメニュー画面とを格納する記憶手段を備え、
前記携帯端末が、アクセスしてきたときに、前記メニュー画面送信手段が、該携帯端末のユーザのプロファイルに対応したメニュー画面を送信することを特徴とする請求項１に記載の受信情報選択システム。
【請求項３】
加入者認証サーバを備え、
前記登録管理サーバの選択情報受信手段が、選択情報を受信したときに、加入者の認証処理を実行することを特徴とする請求項１に記載の受信情報選択システム。
【請求項４】
課金サーバを備え、
前記登録管理サーバの選択情報受信手段が、受信した選択情報に有料のコンテンツが含まれる場合に、その旨を前記携帯端末に知らせ、了承があった場合に、前記課金サーバとの間で課金処理を実行することを特徴とする請求項１に記載の受信情報選択システム。
【請求項５】
サービス提供者が、前記登録管理サーバにアクセスし、コンテンツおよびコンテンツの提供に必要な情報を送信することにより、新たなコンテンツを登録できる請求項１に記載の受信情報選択システム。
【請求項６】
ブロードキャスト受信機能を有する携帯端末と、該携帯端末に配信する情報を登録し、管理する登録管理サーバとからなる受信情報選択システムにおける受信情報選択方法であって、
前記携帯端末から前記登録管理サーバにユーザ登録を実行する第１のステップと、
前記携帯端末が、前記登録管理サーバにアクセスする第２のステップと、
前記登録管理サーバが、前記携帯端末に配信情報のメニュー画面を送信する第３のステップと、
前記携帯端末が、前記登録管理サーバから配信情報のメニュー画面を受信する第４のステップと、
前記携帯端末が、該受信したメニュー画面から、配信を希望する情報を選択する第５のステップと、
前記携帯端末が、該選択した情報を前記登録管理サーバに送信する第６のステップと、
前記登録管理サーバが、前記選択した情報を受信する第７のステップと、
前記登録管理サーバが、該受信した情報を登録管理する第８のステップと、
を備えたことを特徴とする受信情報選択方法。
【請求項７】
ブロードキャスト受信機能を有する携帯端末と、該携帯端末に配信する情報を登録し、管理する登録管理サーバとからなる受信情報選択システムにおける受信情報選択方法をコンピュータに実行させるためのプログラムであって、
前記携帯端末が、前記登録管理サーバにアクセスする第１のステップと、
前記登録管理サーバが、前記携帯端末に配信情報のメニュー画面を送信する第２のステップと、
前記携帯端末が、前記登録管理サーバから配信情報のメニュー画面を受信する第３のステップと、
前記携帯端末が、該受信したメニュー画面から、配信を希望する情報を選択する第４のステップと、
前記携帯端末が、該選択した情報を前記登録管理サーバに送信する第５のステップと、
前記登録管理サーバが、前記選択した情報を受信する第６のステップと、
前記登録管理サーバが、該受信した情報を登録管理する第７のステップと、
をコンピュータに実行させるためのプログラム。
【発明の詳細な説明】
【技術分野】
【０００１】
本発明は、基地局からブロードキャストで配信される情報をユーザが任意に選択できる受信情報選択システム、受信情報選択方法およびプログラムに関する。
【背景技術】
【０００２】
従来より、基地局のカバーエリア内にある携帯端末に、一斉に情報を配信するブロードキャスト通信がしられている。こうした通信方式は、特定エリア内の多数のユーザに緊急情報を配信する手段として有効である（例えば、特許文献１参照。）。
【０００３】
そのため、最近では、気象庁で検討が進められている緊急地震速報のシステム、すなわち、気象庁から地震の発生を各地に設けられた地震計等により計測し、計測の結果、得られた情報を緊急地震速報として、その予想震度や発生地域等をテレビやラジオのメディアあるいは、サーバを介して、携帯端末やパソコンに通知するシステムへの適用も期待されている。
【特許文献１】特表２００６−５２６９０９号公報
【発明の開示】
【発明が解決しようとする課題】
【０００４】
しかしながら、現在、ブロードキャストにより配信される情報は、基地局側で決められている。そのため、上記のような、緊急情報に関しては、有用であるが、個人の趣味、趣向に関する情報については、一部のユーザにとっては、迷惑メールと同様に、不必要でかつ煩わしいものとなる。
【０００５】
そこで、本発明は、上記課題に鑑みてなされたものであり、ブロードキャストで配信される情報をユーザが任意に選択できる受信情報選択システム、受信情報選択方法およびプログラムを提供することを目的とする。
【課題を解決するための手段】
【０００６】
本発明は、上記した課題を解決するために以下の事項を提案している。
【０００７】
（１）本発明は、ブロードキャスト受信機能を有する携帯端末と、該携帯端末に配信する情報を登録し、管理する登録管理サーバとを備え、前記携帯端末が、前記登録管理サーバにアクセスするアクセス手段と、前記登録管理サーバから配信情報のメニュー画面を受信するメニュー画面受信手段と、該受信したメニュー画面から、配信を希望する情報を選択する選択手段と、該選択した情報を前記登録管理サーバに送信する選択情報送信手段と、を備え、前記登録管理サーバが、前記携帯端末に配信情報のメニュー画面を送信するメニュー画面送信手段と、前記選択した情報を受信する選択情報受信手段と、該受信した情報を登録管理する登録管理手段と、を備えたことを特徴とする受信情報選択システムを提案している。
【０００８】
この発明によれば、携帯端末のアクセス手段が、登録管理サーバにアクセスし、メニュー画面受信手段が、登録管理サーバから配信情報のメニュー画面を受信する。そして、選択手段により、受信したメニュー画面から、配信を希望する情報を選択し、選択情報送信手段が、その選択した情報を登録管理サーバに送信する。一方、登録管理サーバのメニュー画面送信手段が、携帯端末に配信情報のメニュー画面を送信し、選択情報受信手段が、選択した情報を受信して、登録管理手段が、受信した情報を登録管理する。したがって、携帯端末のユーザは、ブロードキャストで配信される情報を自由に選択できるため、不必要でかつ煩わしい情報を否応なく受信することがない。
【０００９】
（２）本発明は、（１）の受信情報選択システムについて、前記登録管理サーバが、事前に登録したユーザプロファイルと該ユーザプロファイルに対応したメニュー画面とを格納する記憶手段を備え、前記携帯端末が、アクセスしてきたときに、前記メニュー画面送信手段が、該携帯端末のユーザのプロファイルに対応したメニュー画面を送信することを特徴とする受信情報選択システムを提案している。
【００１０】
この発明によれば、登録管理サーバの記憶手段が、事前に登録したユーザプロファイルとそのユーザプロファイルに対応したメニュー画面とを格納し、携帯端末が、アクセスしてきたときに、メニュー画面送信手段が、携帯端末のユーザのプロファイルに対応したメニュー画面を送信する。したがって、ユーザのプロファイルに基づいて作成されたメニュー画面を受信できることから、情報を選択する際の煩わしさを解消できる。
【００１１】
（３）本発明は、（１）の受信情報選択システムについて、加入者認証サーバを備え、前記登録管理サーバの選択情報受信手段が、選択情報を受信したときに、加入者の認証処理を実行することを特徴とする受信情報選択システムを提案している。
【００１２】
この発明によれば、登録管理サーバの選択情報受信手段が、選択情報を受信したときに、加入者認証サーバとの間で、加入者の認証処理を実行する。したがって、第三者のなりすましにより、受信情報が勝手に変更されることを防止することができる。
【００１３】
（４）本発明は、（１）の受信情報選択システムについて、課金サーバを備え、前記登録管理サーバの選択情報受信手段が、受信した選択情報に有料のコンテンツが含まれる場合に、その旨を前記携帯端末に知らせ、了承があった場合に、前記課金サーバとの間で課金処理を実行することを特徴とする受信情報選択システムを提案している。
【００１４】
この発明によれば、登録管理サーバの選択情報受信手段が、受信した選択情報に有料のコンテンツが含まれる場合に、その旨を携帯端末に知らせ、了承があった場合に、課金サーバとの間で課金処理を実行する。したがって、選択した情報が有料コンテンツである場合に、事前にこれが通知され、ユーザの同意のもとに、課金処理が実行されることから、知らないうちに課金処理が実行されるという被害を防止することができる。また、簡単な処理で、課金処理を手間無く実行することができる。
【００１５】
（５）本発明は、（１）の受信情報選択システムについて、サービス提供者が、前記登録管理サーバにアクセスし、コンテンツおよびコンテンツの提供に必要な情報を送信することにより、新たなコンテンツを登録できる受信情報選択システムを提案している。
【００１６】
この発明によれば、サービス提供者が、登録管理サーバにアクセスし、コンテンツおよびコンテンツの提供に必要な情報を送信することにより、新たなコンテンツを登録できる。したがって、サービス提供者は、ユーザのニーズに合わせて、新たなコンテンツを随時提供することができる。
【００１７】
（６）本発明は、ブロードキャスト受信機能を有する携帯端末と、該携帯端末に配信する情報を登録し、管理する登録管理サーバとからなる受信情報選択システムにおける受信情報選択方法であって、前記携帯端末から前記登録管理サーバにユーザ登録を実行する第１のステップと、前記携帯端末が、前記登録管理サーバにアクセスする第２のステップと、前記登録管理サーバが、前記携帯端末に配信情報のメニュー画面を送信する第３のステップと、前記携帯端末が、前記登録管理サーバから配信情報のメニュー画面を受信する第４のステップと、前記携帯端末が、該受信したメニュー画面から、配信を希望する情報を選択する第５のステップと、前記携帯端末が、該選択した情報を前記登録管理サーバに送信する第６のステップと、前記登録管理サーバが、前記選択した情報を受信する第７のステップと、前記登録管理サーバが、該受信した情報を登録管理する第８のステップと、を備えたことを特徴とする受信情報選択方法を提案している。
【００１８】
この発明によれば、携帯端末が、登録管理サーバにアクセスし、登録管理サーバが、携帯端末に配信情報のメニュー画面を送信する。携帯端末は、登録管理サーバから配信情報のメニュー画面を受信し、受信したメニュー画面から、配信を希望する情報を選択して、その選択した情報を登録管理サーバに送信する。登録管理サーバは、選択した情報を受信し、その受信した情報を登録管理する。したがって、携帯端末のユーザは、ブロードキャストで配信される情報を自由に選択できるため、不必要でかつ煩わしい情報を否応なく受信することがない。
【００１９】
（７）本発明は、ブロードキャスト受信機能を有する携帯端末と、該携帯端末に配信する情報を登録し、管理する登録管理サーバとからなる受信情報選択システムにおける受信情報選択方法をコンピュータに実行させるためのプログラムであって、前記携帯端末が、前記登録管理サーバにアクセスする第１のステップと、前記登録管理サーバが、前記携帯端末に配信情報のメニュー画面を送信する第２のステップと、前記携帯端末が、前記登録管理サーバから配信情報のメニュー画面を受信するメ第３のステップと、前記携帯端末が、該受信したメニュー画面から、配信を希望する情報を選択する第４のステップと、前記携帯端末が、該選択した情報を前記登録管理サーバに送信する第５のステップと、前記登録管理サーバが、前記選択した情報を受信する第６のステップと、前記登録管理サーバが、該受信した情報を登録管理する第７のステップと、をコンピュータに実行させるためのプログラムを提案している。
【００２０】
この発明によれば、携帯端末が、登録管理サーバにアクセスし、登録管理サーバが、携帯端末に配信情報のメニュー画面を送信する。携帯端末は、登録管理サーバから配信情報のメニュー画面を受信し、受信したメニュー画面から、配信を希望する情報を選択して、その選択した情報を登録管理サーバに送信する。登録管理サーバは、選択した情報を受信し、その受信した情報を登録管理する。したがって、携帯端末のユーザは、ブロードキャストで配信される情報を自由に選択できるため、不必要でかつ煩わしい情報を否応なく受信することがない。
【発明の効果】
【００２１】
本発明によれば、ブロードキャストで配信される情報をユーザが任意に選択できるという効果がある。これにより、不必要でかつ煩わしい情報を否応なく受信することがない。また、ユーザのプロファイルに基づいて作成されたメニュー画面を受信できることから、情報を選択する際の煩わしさを解消できるという効果がある。
【００２２】
さらに、本発明によれば、加入者の認証処理を実行することから、第三者のなりすましにより、受信情報が勝手に変更されることを防止することができるという効果がある。また、選択した情報が有料コンテンツである場合に、事前にこれが通知され、ユーザの同意のもとに、課金処理が実行されることから、知らないうちに課金処理が実行されるという被害を防止することができるという効果がある。
【発明を実施するための最良の形態】
【００２３】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２４】
図１から図７を用いて、本発明の実施形態について説明する。
【００２５】
＜受信情報選択システムの構成＞
本実施形態に係る受信情報選択システムは、図１に示すように、携帯端末１と、登録管理サーバ２と、認証サーバ３と、課金サーバ４とから構成され、これらは、ネットワーク５を介して、接続されている。
【００２６】
携帯端末１は、ブロードキャスト受信機能を有するものであり、登録管理サーバ２とアクセスして、ブロードキャストにより受信する情報を任意に設定できる。なお、詳細については、後述する。
【００２７】
登録管理サーバ２は、ユーザが配信情報を登録する場合の受信登録制御やサービスの配信登録を行い、Ｗｅｂ制御部と管理制御部とから構成されている。なお、詳細については、後述する。
【００２８】
認証サーバ３は、登録ユーザの認証処理を行うサーバであり、課金サーバ４は、ユーザが受信登録を希望するサービスが有料サービスである場合に、料金の回収に関して代行制御処理を行うサーバである。
【００２９】
＜携帯端末の構成＞
本実施形態に係る携帯端末１は、図２に示すように、アクセス制御部１１と、受信部１２と、表示部１３と、メニュー選択部１４と、ユーザ登録部１５と、送信部１６とから構成されている。
【００３０】
アクセス制御部１１は、Ｗｅｂ上で登録管理サーバ２に対してアクセスを行う。受信部１２は、登録管理サーバ２から配信情報のメニュー画面を受信する。また、ユーザ登録の際には、登録管理サーバ２からユーザ登録用画面を受信する。
【００３１】
表示部１３は、受信部１２が受信したメニュー画面あるいは、ユーザ登録用画面を表示する。メニュー選択部１４は、表示部１３に表示されたメニュー画面から任意に受信を希望するメニューを選択する。ユーザ登録部１５は、表示部１３に表示されたユーザ登録用画面にしたがい、所定事項を入力する。送信部１６は、メニュー選択部１４で選択されたメニューあるいは所定事項を入力したユーザ登録情報を登録管理サーバ２に送信する。
【００３２】
なお、ユーザが選択したサービスが有料である場合には、受信部１２が課金確認画面を受信し、メニュー選択部１４が、課金承認の有無を選択する。また、課金承認を行った場合には、受信部１２がダウンロード画面を受信し、ダウンロードを行う場合には、アクセス制御部１１が、登録管理サーバ２に対してダウンロード要求を行い、ダウンロードを実行する。
【００３３】
＜登録管理サーバの構成＞
本実施形態に係る登録管理サーバ２は、図３に示すように、Ｗｅｂ制御部２１と、管理制御部２２と、起動情報データベース（ＤＢ）２３と、ユーザプロファイル２４と、登録情報データベース（ＤＢ）２５とから構成されている。
【００３４】
Ｗｅｂ制御部２１は、ユーザからの受信登録時におけるＷｅｂ制御を行うとともに、受信起動時に必要となる情報の管理を行う。管理制御部２２は、サービス提供者からのサービス登録を行うとともに、ユーザからの登録情報の管理を行う。また、認証サーバ３にアクセスしてユーザ認証を実行するとともに、必要に応じて、課金サーバ４とアクセスして料金回収の制御を行う。また、受信したユーザ登録情報をユーザプロファイル２４に登録し、管理するとともに、初期設定のメニューやユーザプロファイルに対応したメニューおよびユーザが登録したメニュー等を登録情報ＤＢに登録、管理する。
【００３５】
また、起動情報データベース（ＤＢ）２３は、受信起動時に必要となる情報を格納する記憶装置であり、ユーザプロファイル２４は、ユーザ登録情報を格納する記憶装置であり、登録情報データベース（ＤＢ）２５は、各種メニューやユーザからの登録情報を格納する記憶装置である。
【００３６】
＜ユーザ登録処理＞
図４および図５を用いて、本実施形態に係る受信情報選択システムにおけるユーザ登録処理について説明する。
【００３７】
まず、ユーザが自身の携帯端末１から図５（Ａ）に示すような、ユーザ登録画面を表示部１３に表示させることにより、登録管理サーバ２へのアクセスを行い、ユーザ登録の要求を行う（ステップＳ１０１）。
【００３８】
登録管理サーバ２のＷｅｂ制御部２１が、携帯端末１から、このユーザ登録要求を受け取ると、これを管理制御部２２に送信する（ステップＳ１０２）。管理制御部２２は、ユーザ登録要求を受け取ると、認証サーバ３に対して、認証要求を行い（ステップＳ１０３）、認証サーバ３から認証応答を受け取ると（ステップＳ１０４）、Ｗｅｂ制御部２１にユーザ登録応答を送信する（ステップＳ１０５）。
【００３９】
Ｗｅｂ制御部２１は、管理制御部２２からユーザ登録応答を受け取ると、ユーザ登録応答として、図５（Ｂ）に示すような、ユーザ登録用画面を携帯端末１に送信する（ステップＳ１０６）。
【００４０】
携帯端末１のユーザは、ユーザ登録用画面にしたがって、所定の事項を入力すると、「ＯＫ」をクリックすることにより、登録管理サーバ２に対して、プロファイルの登録要求を送信する（ステップＳ１０７）。
【００４１】
携帯端末１からプロファイルの登録要求を受け取ったＷｅｂ制御部２１は、このプロファイルの登録要求を管理制御部２２に送信する（ステップＳ１０８）。管理制御部２２は、プロファイルの登録要求を受け取ると、プロファイルの登録処理を実行する（ステップＳ１０９）。
【００４２】
そして、プロファイルの登録処理が完了すると、プロファイルの登録応答をＷｅｂ制御部２１に送信し（ステップＳ１１０）、Ｗｅｂ制御部２１がプロファイルの登録応答として、図５（Ｃ）に示すような、登録完了画面を携帯端末１に送信することにより、ユーザ登録の終了を知らせる（ステップＳ１１１）。
【００４３】
上記のような一連の処理により、ユーザ登録が完了し、登録管理サーバ２の管理制御部２２は、登録したユーザのプロファイルを用いて、個々のユーザに対応した情報の登録画面を生成し、提供することができる。
【００４４】
＜ブロードキャストサービスの受信登録処理＞
次に、図６および図７を用いて、本実施形態に係る受信情報選択システムにおけるブロードキャストサービスの受信登録処理について説明する。
【００４５】
まず、携帯端末１が、登録管理サーバ２のＷｅｂ制御部２１に対して、Ｗｅｂアクセスを行う（ステップＳ２０１）。アクセスを受けたＷｅｂ制御部２１は、携帯端末１に対して、図７（Ａ）に示すような、登録画面を送信するモードに遷移する（ステップＳ２０２）。
【００４６】
携帯端末１のユーザは、登録画面を参照しながら、受信を希望するサービスを選択し、登録管理サーバ２のＷｅｂ制御部２１に対して、受信種別選択情報を送信する（ステップＳ２０３）。
【００４７】
Ｗｅｂ制御部２１が、受信種別選択情報を受信すると、これを、管理制御部２２に送信する（ステップＳ２０４）。管理制御部２２は、受信種別選択情報を受け取ると、認証サーバ３に対して、認証要求を行い（ステップＳ２０５）、認証サーバ３から認証応答を受け取ると（ステップＳ２０６）、ユーザが選択したサービスが有料である場合、課金確認画面を携帯端末１のユーザに送信するモードに遷移させる情報をＷｅｂ制御部２１に送信する（ステップＳ２０７）。
【００４８】
Ｗｅｂ制御部２１は、受け取った情報に基づいて、携帯端末１に課金確認画面を送信するモードに遷移して、携帯端末１に図７（Ｂ）に示すような、課金確認画面を送信する（ステップＳ２０８）。
【００４９】
携帯端末１のユーザが、図７（Ｂ）に示すような、課金確認画面に対して、「はい」をクリックすると、ユーザの課金承認がＷｅｂ制御部２１に送信される（ステップＳ２０９）。ユーザの課金承認を受信したＷｅｂ制御部２１は、次に、ダウンロード画面を送信するモードに遷移して、携帯端末１に図７（Ｃ）に示すような、ダウンロード画面を送信する（ステップＳ２１０）。
【００５０】
ここで、ユーザが、「する」をクリックすると、ダウンロード要求がＷｅｂ制御部２１に送信され（ステップＳ２１１）、Ｗｅｂ制御部２１は、携帯端末１に対して、ダウンロード処理を行う（ステップＳ２１２）。
【００５１】
ダウンロード処理が行われると、Ｗｅｂ制御部２１は、管理制御部２２に対して、ユーザが選択したサービスについての登録要求を送信する（ステップＳ２１３）。登録要求を受けた管理制御部２２は、プロファイルに登録処理を実行する（ステップＳ２１４）。
【００５２】
次いで、管理制御部２２は、課金サーバ４に対して、課金要求を送信し（ステップＳ２１５）、課金サーバ４から課金完了通知を受け取る（ステップＳ２１６）。管理制御部２２が課金サーバ４から課金完了通知を受け取ると、Ｗｅｂ制御部２１に対して、登録完了通知を送信する（ステップＳ２１７）。登録完了通知を受け取ったＷｅｂ制御部２１は、ダウンロード完了画面を送信するモードに遷移して、携帯端末１に、図７（Ｄ）に示すようなダウンロード完了画面を送信する（ステップＳ２１８）。
【００５３】
したがって、本実施形態によれば、ブロードキャストで配信される情報をユーザが任意に選択できる。これにより、不必要でかつ煩わしい情報を否応なく受信することがない。また、ユーザのプロファイルに基づいて作成されたメニュー画面を受信できることから、情報を選択する際の煩わしさを解消できる。さらに、加入者の認証処理を実行することから、第三者のなりすましにより、受信情報が勝手に変更されることを防止することができ、また、選択した情報が有料コンテンツである場合に、事前にこれが通知され、ユーザの同意のもとに、課金処理が実行されることから、知らないうちに課金処理が実行されるという被害を防止することができる。
【００５４】
なお、これらプログラムをコンピュータ読み取り可能な記録媒体に記録し、この記録媒体に記録されたプログラムを携帯端末、登録管理サーバ、認証サーバ、課金サーバのそれぞれ（いずれもコンピュータシステム）に読み込ませ、実行することによって本発明の受信情報選択システムを実現することができる。ここでいうコンピュータシステムとは、ＯＳや周辺装置等のハードウェアを含む。
【００５５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５６】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００５７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００５８】
【図１】本実施形態に係る受信情報選択システムの構成図である。
【図２】本実施形態に係る携帯端末の構成図である。
【図３】本実施形態に係る登録管理サーバの構成図である。
【図４】本実施形態に係るユーザ登録に関するシーケンス図である。
【図５】ユーザ登録の際の携帯端末の画面表示を例示した図である。
【図６】本実施形態に係るブロードキャストサービスの受信登録に関するシーケンス図である。
【図７】ブロードキャストサービスの受信登録の際の携帯端末の画面表示を例示した図である。
【符号の説明】
【００５９】
１・・・携帯端末
２・・・登録管理サーバ
３・・・認証サーバ
４・・・課金サーバ
５・・・ネットワーク
１１・・・アクセス制御部
１２・・・受信部
１３・・・表示部
１４・・・メニュー選択部
１５・・・ユーザ登録部
１６・・・送信部
２１・・・Ｗｅｂ制御部
２２・・・管理制御部
２３・・・起動情報データベース（ＤＢ）
２４・・・ユーザプロファイル
２５・・・登録情報データベース（ＤＢ）
【図１】
2009246662.tif 000003
【図２】
2009246662.tif 000004
【図３】
2009246662.tif 000005
【図４】
2009246662.tif 000006
【図５】
2009246662.tif 000007
【図６】
2009246662.tif 000008
【図７】
2009246662.tif 000009